(57)【要約】【課題】画質を高めることができる画像形成装置を得る。【解決手段】本発明の画像形成装置は、記録媒体の電気抵抗値を測定する測定部と、第１の像担持体と、第１の像担持体を帯電させる第１の帯電部材と、第１の像担持体に現像剤を供給する第１の現像部材とを有し、第１の像担持体に第１の現像剤像を形成する第１の現像部と、第１の像担持体を露光する第１の露光部材と、第１の現像剤像を記録媒体に転写させる第１の転写部材と、第１の帯電部材に第１の帯電電圧を供給し、第１の現像部材に第１の現像電圧を供給し、第１の転写部材に第１の転写電圧を供給する電圧供給部と、測定部により測定された電気抵抗値に基づいて、第１の転写電圧、第１の帯電電圧、第１の現像電圧、および第１の露光部材における第１の露光時間のうちの、第１の転写電圧を含む１つ以上を設定する設定部とを備える。【選択図】図１２
2019045521.tif 000002
【特許請求の範囲】
【請求項１】
記録媒体の電気抵抗値を測定する測定部と、
第１の像担持体と、前記第１の像担持体を帯電させる第１の帯電部材と、前記第１の像担持体に現像剤を供給する第１の現像部材とを有し、前記第１の像担持体に第１の現像剤像を形成する第１の現像部と、
前記第１の像担持体を露光する第１の露光部材と、
前記第１の現像剤像を前記記録媒体に転写させる第１の転写部材と、
前記第１の帯電部材に第１の帯電電圧を供給し、前記第１の現像部材に第１の現像電圧を供給し、前記第１の転写部材に第１の転写電圧を供給する電圧供給部と、
前記測定部により測定された前記電気抵抗値に基づいて、前記第１の転写電圧、前記第１の帯電電圧、前記第１の現像電圧、および前記第１の露光部材における第１の露光時間のうちの、前記第１の転写電圧を含む１つ以上を設定する設定部と
を備えた画像形成装置。
【請求項２】
前記設定部は、前記電気抵抗値に基づいて、前記第１の帯電電圧、前記第１の現像電圧、前記第１の転写電圧、および前記第１の露光時間の全てを設定する
請求項１に記載の画像形成装置。
【請求項３】
前記設定部は、前記電気抵抗値が第１の値よりも高い第２の値である場合には、
前記第１の転写電圧の絶対値を、前記電気抵抗値が前記第１の値である場合の前記第１の転写電圧の絶対値よりも高くし、
前記第１の帯電電圧の絶対値を、前記電気抵抗値が前記第１の値である場合の前記第１の帯電電圧の絶対値よりも高くし、
前記第１の現像電圧の絶対値を、前記電気抵抗値が前記第１の値である場合の前記第１の現像電圧の絶対値よりも低くし、
前記第１の露光時間を、前記電気抵抗値が前記第１の値である場合の前記第１の露光時間よりも長くする
請求項２に記載の画像形成装置。
【請求項４】
前記測定部は、さらに、前記記録媒体の媒体厚をも測定し、
前記設定部は、前記電気抵抗値に加え、さらに、前記測定部により測定された前記媒体厚にも基づいて、前記第１の帯電電圧、前記第１の現像電圧、前記第１の転写電圧、および前記第１の露光時間の全てを設定する
請求項２または請求項３に記載の画像形成装置。
【請求項５】
環境湿度を測定する湿度センサをさらに備え、
前記設定部は、さらに、前記環境湿度に基づいて、前記第１の転写電圧を設定する
請求項２から請求項４のいずれか一項に記載の画像形成装置。
【請求項６】
前記設定部は、さらに、前記第１の像担持体の動作量に応じた経時パラメータに基づいて、前記第１の転写電圧を設定する
請求項２から請求項５のいずれか一項に記載の画像形成装置。
【請求項７】
前記経時パラメータは、前記第１の像担持体の累積回転数である
請求項６に記載の画像形成装置。
【請求項８】
前記設定部は、さらに、前記記録媒体の媒体幅に基づいて、前記第１の転写電圧を設定する
請求項２から請求項７のいずれか一項に記載の画像形成装置。
【請求項９】
第２の像担持体と、前記第２の像担持体を帯電させる第２の帯電部材と、前記第２の像担持体に現像剤を供給する第２の現像部材とを有し、前記第２の像担持体に第２の現像剤像を形成する第２の現像部と、
前記第２の像担持体を露光する第２の露光部材と、
前記第２の現像剤像を前記記録媒体に転写させる第２の転写部材と
をさらに備え、
前記電圧供給部は、さらに、前記第２の帯電部材に第２の帯電電圧を供給し、前記第２の現像部材に第２の現像電圧を供給し、前記第２の転写部材に第２の転写電圧を供給し、
前記設定部は、さらに、前記測定部により測定された前記電気抵抗値に基づいて、前記第２の転写電圧、前記第２の帯電電圧、前記第２の現像電圧、および前記第２の露光部材における第２の露光時間のうちの、前記第２の転写電圧を含む１つ以上を設定する
請求項１から請求項８のいずれか一項に記載の画像形成装置。
【発明の詳細な説明】
【技術分野】
【０００１】
本発明は、画像を形成する画像形成装置に関する。
【背景技術】
【０００２】
画像形成装置では、例えば、帯電された感光ドラムの表面を露光することにより静電潜像を形成し、この静電潜像を現像することにより現像剤像を形成し、この現像剤像を記録媒体に転写する。この画像形成動作において用いられる各種電圧や露光時間は、しばしば、記録媒体の厚さ（以下、媒体厚ともいう）に応じて設定される（例えば、特許文献１）。
【先行技術文献】
【特許文献】
【０００３】
【特許文献１】特開２０１５−１９１０４０号公報
【発明の概要】
【発明が解決しようとする課題】
【０００４】
ところで、画像形成装置では、画質が高いことが望まれており、さらなる画質の向上が期待されている。
【０００５】
画質を高めることができる画像形成装置を提供することが望ましい。
【課題を解決するための手段】
【０００６】
本発明の一実施の形態における画像形成装置は、測定部と、第１の現像部と、第１の露光部材と、第１の転写部材と、電圧供給部と、設定部とを備えている。測定部は、記録媒体の電気抵抗値を測定するものである。第１の現像部は、第１の像担持体と、第１の像担持体を帯電させる第１の帯電部材と、第１の像担持体に現像剤を供給する第１の現像部材とを有し、第１の像担持体に第１の現像剤像を形成するものである。第１の露光部材は、第１の像担持体を露光するものである。第１の転写部材は、第１の現像剤像を記録媒体に転写させるものである。電圧供給部は、第１の帯電部材に第１の帯電電圧を供給し、第１の現像部材に第１の現像電圧を供給し、第１の転写部材に第１の転写電圧を供給するものである。設定部は、測定部により測定された電気抵抗値に基づいて、第１の転写電圧、第１の帯電電圧、第１の現像電圧、および第１の露光部材における第１の露光時間のうちの、第１の転写電圧を含む１つ以上を設定するものである。
【発明の効果】
【０００７】
本発明の一実施の形態における画像形成装置によれば、記録媒体の電気抵抗値に基づいて、第１の転写電圧、第１の帯電電圧、第１の現像電圧、および第１の露光部材における第１の露光時間のうちの、第１の転写電圧を含む１つ以上を設定するようにしたので、画質を高めることができる。
【図面の簡単な説明】
【０００８】
【図１】一実施の形態に係る画像形成装置の一構成例を表す構成図である。
【図２】図１に示した現像ユニットの一構成例を表す構成図である。
【図３】第１および第２の実施の形態に係る画像形成装置の制御機構の一例を表すブロック図である。
【図４】図３に示した設定値情報の一例を表す表である。
【図５】図３に示した補正値情報の一例を表す表である。
【図６】図１に示した測定部の一構成例を表す構成図である。
【図７】図１に示した測定部の一構成例を表す他の構成図である。
【図８】図１に示した画像形成装置の一動作例を表す説明図である。
【図９】図１に示した画像形成装置の一動作例を表す他の説明図である。
【図１０】図１に示した画像形成装置の一動作例を表す他の説明図である。
【図１１】第１および第２の実施の形態に係る画像形成装置の一動作例を表すフローチャートである。
【図１２】図１１に示した補正値生成処理の一例を表すフローチャートである。
【図１３】図１に示した画像形成装置の一動作例を表す他の説明図である。
【図１４】図１に示した画像形成装置の一動作例を表す他の説明図である。
【図１５】第３の実施の形態に係る画像形成装置の制御機構の一例を表すブロック図である。
【図１６】第３の実施の形態に係る画像形成装置の一動作例を表すフローチャートである。
【図１７】第３の実施の形態に係る画像形成装置の一動作例を表す表である。
【図１８】第３の実施の形態に係る画像形成装置の一動作例を表す他の表である。
【発明を実施するための形態】
【０００９】
以下、本発明の実施の形態について、図面を参照して詳細に説明する。なお、説明は以下の順序で行う。
１．第１の実施の形態
２．第２の実施の形態
３．第３の実施の形態
【００１０】
＜１．第１の実施の形態＞
［構成例］
図１は、本発明の一実施の形態に係る画像形成装置（画像形成装置１）の一構成例を表すものである。画像形成装置１は、例えば普通用紙等からなる記録媒体に対して、電子写真方式を用いて画像を形成するプリンタとして機能するものである。
【００１１】
画像形成装置１は、ホッピングローラ１１と、測定部１２と、媒体センサ１３と、レジストローラ１４と、レジストセンサ１５と、４つの現像ユニット２０（現像ユニット２０Ｋ，２０Ｙ，２０Ｍ，２０Ｃ）と、４つのトナー収容部２８（トナー収容部２８Ｋ，２８Ｙ，２８Ｍ，２８Ｃ）と、４つのＬＥＤ（Light Emitting Diode）ヘッド２９（ＬＥＤヘッド２９Ｋ，２９Ｙ，２９Ｍ，２９Ｃ）と、転写部３０と、定着部１６と、排出ローラ１９とを備えている。これらの部材は、記録媒体９を搬送する搬送路１０に沿って配置されている。
【００１２】
ホッピングローラ１１は、媒体収納部８に収納されている記録媒体９をその最上部から１枚ずつ取り出し、取り出した記録媒体９を搬送路１０に送り出す部材である。
【００１３】
測定部１２は、記録媒体９の媒体厚Ｄおよび電気抵抗値Ｒを測定するものである。具体的には、画像形成装置１が、媒体センサ１３の検出結果に基づいて、記録媒体９の搬送動作を一旦停止したときに、測定部１２は、記録媒体９の媒体厚Ｄおよび電気抵抗値Ｒを測定するようになっている。
【００１４】
媒体センサ１３は、記録媒体９の通過を検出する部材である。媒体センサ１３は、測定部１２の下流であり、レジストローラ１４の上流に設けられている。
【００１５】
レジストローラ１４は、搬送路１０を挟む１対のローラにより構成される部材であり、記録媒体９の斜行を矯正するとともに、搬送路１０に沿って記録媒体９を搬送するものである。
【００１６】
レジストセンサ１５は、記録媒体９の通過を検出する部材である。媒体センサ１３は、レジストローラ１４の下流であり、４つの現像ユニット２０の上流に設けられている。
【００１７】
４つの現像ユニット２０は、トナー像を形成するものである。具体的には、現像ユニット２０Ｋは、黒色（Ｋ）のトナー像を形成するものであり、現像ユニット２０Ｙは、黄色（Ｙ）のトナー像を形成するものであり、現像ユニット２０Ｍは、マゼンタ色（Ｍ）のトナー像を形成するものであり、現像ユニット２０Ｃは、シアン色（Ｃ）のトナー像を形成するものである。この例では、４つの現像ユニット２０は、記録媒体９の搬送方向Ｆにおいて、現像ユニット２０Ｋ，２０Ｙ，２０Ｍ，２０Ｃの順に配置されている。すなわち、画像形成装置１は、タンデム方式の画像形成装置である。各現像ユニット２０は、着脱可能に構成されている。
【００１８】
４つのトナー収容部２８は、トナーを収容するものである。具体的には、トナー収容部２８Ｋは黒色のトナーを収容し、トナー収容部２８Ｙは黄色のトナーを収容し、トナー収容部２８Ｍはマゼンタ色のトナーを収容し、トナー収容部２８Ｃはシアン色のトナーを収容するようになっている。４つのトナー収容部２８は、対応する４つの現像ユニット２０に対してそれぞれ着脱可能に構成されている。
【００１９】
図２は、現像ユニット２０の一構成例を表すものである。なお、この図２は、トナー収容部２８およびＬＥＤヘッド２９をも描いている。現像ユニット２０は、感光ドラム２１と、クリーニングブレード２２と、帯電ローラ２４と、現像ローラ２５と、現像ブレード２６と、供給ローラ２７とを有している。
【００２０】
感光ドラム２１は、表面（表層部分）に静電潜像を担持する部材である。感光ドラム２１は、ドラムモータ（図示せず）から伝達された動力により、この例では時計回りで回転する。感光ドラム２１は、帯電ローラ２４により帯電し、ＬＥＤヘッド２９により露光される。具体的には、現像ユニット２０Ｋの感光ドラム２１はＬＥＤヘッド２９Ｋにより露光され、現像ユニット２０Ｙの感光ドラム２１はＬＥＤヘッド２９Ｙにより露光され、現像ユニット２０Ｍの感光ドラム２１はＬＥＤヘッド２９Ｍにより露光され、現像ユニット２０Ｃの感光ドラム２１はＬＥＤヘッド２９Ｃにより露光される。これにより、各感光ドラム２１の表面には、静電潜像が形成される。そして、感光ドラム２１に、現像ローラ２５によりトナーが供給されることにより、感光ドラム２１には、静電潜像に応じたトナー像が形成されるようになっている。
【００２１】
クリーニングブレード２２は、感光ドラム２１の表面（表層部分）に残留するトナーを掻き取ってクリーニングする部材である。クリーニングブレード２２は、先端が感光ドラム２１に当接するように配置されている。
【００２２】
帯電ローラ２４は、感光ドラム２１の表面（表層部分）を略均一に帯電させる部材である。帯電ローラ２４は、感光ドラム２１の表面（周面）に接するように配置されており、所定の押し付け量で感光ドラム２１に押し付けられるように配置されている。帯電ローラ２４は、感光ドラム２１の回転に応じて、この例では反時計回りで回転する。帯電ローラ２４には、帯電電圧制御部６２ＣＨ（後述）により帯電電圧ＶＣＨが印加されるようになっている。
【００２３】
現像ローラ２５は、トナーを表面に担持する部材である。現像ローラ２５は、感光ドラム２１の表面（周面）に接するように配置されており、所定の押し付け量で感光ドラム２１に押し付けられるように配置されている。現像ローラ２５は、ドラムモータ（図示せず）から伝達された動力により、この例では反時計回りで回転する。現像ローラ２５には、現像電圧制御部６２ＤＢ（後述）により現像電圧ＶＤＢが印加されるようになっている。
【００２４】
現像ブレード２６は、現像ローラ２５の表面に当接することにより、この現像ローラ２５の表面にトナーからなる層（トナー層）を形成させるとともに、そのトナー層の厚さを規制（制御，調整）する部材である。現像ブレード２６は、例えば、ステンレスなどからなる板状弾性部材をＬ字形状に折り曲げたものを用いることができる。現像ブレード２６は、その折れ曲がった部分が現像ローラ２５の表面に当接するように配置されるとともに、所定の押し付け量で現像ローラ２５に押し付けられるように配置されている。
【００２５】
供給ローラ２７は、トナー収容部２８内に収容されたトナーを、現像ローラ２５に対して供給する部材である。供給ローラ２７は、現像ローラ２５の表面（周面）に接するように配置されており、所定の押し付け量で現像ローラ２５に押し付けられるように配置されている。供給ローラ２７は、ドラムモータ（図示せず）から伝達された動力により、この例では反時計回りで回転する。これにより、各現像ユニット２０では、供給ローラ２７の表面と現像ローラ２５の表面との間に摩擦が生じる。その結果、各現像ユニット２０では、トナーが、いわゆる摩擦帯電により帯電するようになっている。供給ローラ２７には、供給電圧制御部６２ＳＢ（後述）により供給電圧ＶＳＢが印加されるようになっている。
【００２６】
４つのＬＥＤヘッド２９（図１）は、対応する現像ユニット２０の感光ドラム２１に対して光を照射する部材である。具体的には、ＬＥＤヘッド２９Ｋは、現像ユニット２０Ｋの感光ドラム２１に対して光を照射し、ＬＥＤヘッド２９Ｙは、現像ユニット２０Ｙの感光ドラム２１に対して光を照射し、ＬＥＤヘッド２９Ｍは、現像ユニット２０Ｍの感光ドラム２１に対して光を照射し、ＬＥＤヘッド２９Ｃは、現像ユニット２０Ｃの感光ドラム２１に対して光を照射する。ＬＥＤヘッド２９は、例えば、主走査線方向（図１における奥行方向）に並設された複数の発光ダイオードを有し、これらの発光ダイオードを用いて、ドット単位で感光ドラム２１に対して光を照射する。これにより、これらの感光ドラム２１は、対応するＬＥＤヘッド２９により露光され、感光ドラム２１の表面に、静電潜像が形成されるようになっている。
【００２７】
転写部３０は、４つの現像ユニット２０により形成されたトナー像を、記録媒体９の被転写面上に転写するものである。転写部３０は、転写ベルト３１と、４つの転写ローラ３２（転写ローラ３２Ｋ，３２Ｙ，３２Ｍ，３２Ｃ）と、駆動ローラ３３と、従動ローラ３４とを有している。
【００２８】
転写ベルト３１は、記録媒体９を搬送路１０に沿って搬送方向Ｆに向かって搬送するものである。転写ベルト３１は、駆動ローラ３３および従動ローラ３４によって張設（張架）されている。そして、転写ベルト３１は、駆動ローラ３３の回転に応じて、搬送方向Ｆの方向に循環搬送されるようになっている。
【００２９】
４つの転写ローラ３２は、対応する現像ユニット２０の感光ドラム２１の表面に形成されたトナー像を、記録媒体９に転写する部材である。転写ローラ３２は、例えば、導電性の弾性体を用いて構成される。転写ローラ３２Ｋは、搬送路１０および転写ベルト３１を挟んで現像ユニット２０Ｋの感光ドラム２１に対向配置され、転写ローラ３２Ｙは、搬送路１０および転写ベルト３１を挟んで現像ユニット２０Ｙの感光ドラム２１に対向配置され、転写ローラ３２Ｍは、搬送路１０および転写ベルト３１を挟んで現像ユニット２０Ｍの感光ドラム２１に対向配置され、転写ローラ３２Ｃは、搬送路１０および転写ベルト３１を挟んで現像ユニット２０Ｃの感光ドラム２１に対向配置されている。転写ローラ３２Ｋ，３２Ｙ，３２Ｍ，３２Ｃのそれぞれには、転写電圧制御部６２ＴＲ（後述）により転写電圧ＶＴＲが印加される。これにより、画像形成装置１では、各現像ユニット２０により形成されたトナー像が、記録媒体９の被転写面上に転写されるようになっている。
【００３０】
駆動ローラ３３は、転写ベルト３１を循環搬送するものである。この例では、駆動ローラ３３は、搬送方向Ｆにおいて、４つの現像ユニット２０の下流に配置されている。駆動ローラ３３は、ベルトモータ（図示せず）から伝達された動力により、この例では反時計回りで回転するようになっている。
【００３１】
従動ローラ３４は、転写ベルト３１の循環搬送に応じて、従動回転するものである。この例では、従動ローラ３４は、搬送方向Ｆにおいて、４つの現像ユニット２０の上流に配置されている。
【００３２】
定着部１６は、記録媒体９に対し熱および圧力を付与することにより、記録媒体９上に転写されたトナー像を記録媒体９に定着させる部材である。定着部１６は、ヒートローラ１７と、加圧ローラ１８とを有している。ヒートローラ１７は、記録媒体９上のトナーに対して熱を付与する部材であり、内部に、例えばハロゲンヒータなどを含んで構成されている。ヒートローラ１７は、定着モータ（図示せず）から伝達された動力により回転するようになっている。加圧ローラ１８は、記録媒体９上のトナーに対して圧力を付与する部材であり、ヒートローラ１７との間に圧接部が形成されるように配置されている。この構成により、定着部１６では、記録媒体９上のトナーが、加熱され、融解し、加圧される。その結果、トナー像が記録媒体９上に定着するようになっている。
【００３３】
排出ローラ１９は、搬送路１０を挟んで配置された一対のローラであり、トナー像が定着された記録媒体９を搬送路１０に沿って搬送して排出する部材である。
【００３４】
この構成により、画像形成装置１では、測定部１２により、記録媒体９の媒体厚Ｄおよび電気抵抗値Ｒが測定され、媒体厚Ｄおよび電気抵抗値Ｒに基づいて、後述するように、転写電圧ＶＴＲ、帯電電圧ＶＣＨ、現像電圧ＶＤＢ、およびＬＥＤヘッド２９における露光時間Ｔが決定される。そして、４つの現像ユニット２０においてトナー像が形成され、４つの現像ユニット２０および転写部３０により、記録媒体９にトナー像が順次転写される。そして、定着部１６により、トナー像が記録媒体９上に定着するようになっている。
【００３５】
（画像形成装置１における制御機構）
図３は、画像形成装置１における制御機構の一例を表すものである。画像形成装置１は、制御部５０と、画像形成制御部６０とを備えている。
【００３６】
制御部５０は、通信部５１と、表示操作部５２、ＣＰＵ（Central Processing Unit）５３と、タイマ５４と、ＲＡＭ（Random Access Memory）５５と、ＲＯＭ（Read Only Memory）５６と、インタフェース５７とを有している。通信部５１、表示操作部５２、ＣＰＵ５３、タイマ５４、ＲＡＭ５５、ＲＯＭ５６、およびインタフェース５７は、バス５８に接続されている。
【００３７】
通信部５１は、例えばＵＳＢ（Universal Serial Bus）やＬＡＮ（Local Area Network）を用いて通信を行うものであり、例えば、ホストコンピュータＰＣから送信された印刷データＤＰを受信するものである。
【００３８】
表示操作部５２は、ユーザの操作を受け付けるとともに、画像形成装置１の動作状態や、ユーザへの指示などを表示するものであり、例えば、各種ボタン、液晶ディスプレイ、各種インジケータなどを用いて構成されるものである。
【００３９】
ＣＰＵ５３は、ＲＯＭ５６に記憶された各種プログラムを実行することにより、画像形成装置１の動作を制御するものである。
【００４０】
タイマ５４は、時間を計るものである。ＣＰＵ５３は、タイマ５４が計る時間に基づいて、画像形成装置１における様々な動作のタイミングを決定するようになっている。
【００４１】
ＲＡＭ５５は、ＣＰＵ５３がプログラムを実行する際に、一時記憶領域として機能するものである。
【００４２】
ＲＯＭ５６は、画像形成装置１において用いられる様々な情報を記憶する、書き込み可能な不揮発性のメモリである。ＲＯＭ５６は、画像形成装置１において実行されるプログラムを記憶している。また、ＲＯＭ５６は、設定値情報５６Ａと、抵抗値情報５６Ｂと、電荷蓄積量情報５６Ｃと、補正値情報５６Ｄとを記憶している。
【００４３】
設定値情報５６Ａは、普通紙、光沢紙など、様々な種類の記録媒体９に対して、各現像ユニット２０が画像形成を行うときの各種基本設定値を含むものである。
【００４４】
図４は、設定値情報５６Ａの一構成例を表すものである。この例では、設定値情報５６Ａは、４つの現像ユニット２０のそれぞれに係る、“普通紙”、“光沢紙”、“ラベル紙”、“フィルム”のそれぞれについての各種基本設定値を含んでいる。ここで、“フィルム”は、例えばＰＥＴ（polyethylene terephthalate）により構成されるものであり、“フィルム”の体積抵抗率ρは、例えば１０13［Ω・ｃｍ］よりも大きく、“フィルム”の厚さは例えば１００［μｍ］よりも厚いものである。なお、この図４では、４つの現像ユニット２０のうちの１つ（この例では現像ユニット２０Ｃ）に係る各種基本設定値のみを図示しているが、現像ユニット２０Ｋ，２０Ｙ，２０Ｍについても同様である。この例では、各種基本設定値は、転写電圧ＶＴＲ、帯電電圧ＶＣＨ、現像電圧ＶＤＢ、および露光時間Ｔについての設定値である。なお、この例では、設定値情報５６Ａは、“普通紙”、“光沢紙”、“ラベル紙”、“フィルム”のそれぞれについての各種基本設定値を含むようにしたが、これに限定されるものではなく、さらに他の種類の記録媒体９についての各種基本設定値を含んでいてもよい。また、この例では、設定値情報５６Ａは、転写電圧ＶＴＲ、帯電電圧ＶＣＨ、現像電圧ＶＤＢ、および露光時間Ｔについての情報を含むようにしたが、これに限定されるものではなく、さらに他の設定値についての情報を含んでもよい。
【００４５】
抵抗値情報５６Ｂは、画像形成装置１が、媒体厚Ｄおよび電気抵抗値Ｒに基づいて算出した体積抵抗率ρ（後述）についての情報を含むものである。
【００４６】
電荷蓄積量情報５６Ｃは、画像形成装置１が、体積抵抗率ρに基づいて算出した電荷蓄積量パラメータＱ（ｘ）（後述）についての情報を含むものである。
【００４７】
補正値情報５６Ｄは、画像形成装置１が、電荷蓄積量パラメータＱ（ｘ）に基づいて算出した、各種基本設定値に対する補正値についての情報を含むものである。
【００４８】
図５は、補正値情報５６Ｄの一構成例を表すものである。補正値情報５６Ｄは、４つの現像ユニット２０のそれぞれに係る、各種基本設定値に対する補正値を含んでいる。なお、この図５では、４つの現像ユニット２０のうちの１つ（この例では現像ユニット２０Ｃ）に係る補正値のみを図示しているが、現像ユニット２０Ｋ，２０Ｙ，２０Ｍについても同様である。この例では、補正値情報５６Ｄは、転写電圧ＶＴＲ、帯電電圧ＶＣＨ、現像電圧ＶＤＢ、および露光時間Ｔの補正値についての情報を含んでいる。具体的には、この補正値情報５６Ｄは、転写電圧ＶＴＲを、転写電圧ＶＴＲの基本設定値に比べて１６００［Ｖ］だけ高くし、帯電電圧ＶＣＨを、帯電電圧ＶＣＨの基本設定値に比べて２００［Ｖ］だけ低くし、現像電圧ＶＤＢを、現像電圧ＶＤＢの基本設定値に比べて５０［Ｖ］だけ高くし、露光時間Ｔを、露光時間Ｔの基本設定値に比べて２［μｓｅｃ．］だけ長くすることを示している。なお、これに限定されるものではなく、補正値情報５６Ｄは、設定値情報５６Ａ（図４）と同様に、さらに他の設定値についての情報を含んでもよい。
【００４９】
インタフェース５７は、画像形成制御部６０、媒体センサ１３、およびレジストセンサ１５との間で情報のやり取りをするためのインタフェースである。
【００５０】
画像形成制御部６０は、モータ制御部６１と、高圧制御部６２と、露光制御部６３と、定着制御部６４と、測定制御部６５とを有している。
【００５１】
モータ制御部６１は、制御部５０からの指示に基づいて、画像形成装置１における、ドラムモータ、ベルトモータ、定着モータなどの各種モータの動作を制御するものである。
【００５２】
高圧制御部６２は、帯電電圧制御部６２ＣＨと、供給電圧制御部６２ＳＢと、現像電圧制御部６２ＤＢと、転写電圧制御部６２ＴＲとを有している。帯電電圧制御部６２ＣＨは、制御部５０からの指示に基づいて、４つの現像ユニット２０において用いられる４つの帯電電圧ＶＣＨをそれぞれ生成するものである。供給電圧制御部６２ＳＢは、制御部５０からの指示に基づいて、４つの現像ユニット２０において用いられる４つの供給電圧ＶＳＢをそれぞれ生成するものである。現像電圧制御部６２ＤＢは、制御部５０からの指示に基づいて、４つの現像ユニット２０において用いられる４つの現像電圧ＶＤＢをそれぞれ生成するものである。転写電圧制御部６２ＴＲは、制御部５０からの指示に基づいて、転写部３０において用いられる４つの転写電圧ＶＴＲをそれぞれ生成するものである。
【００５３】
露光制御部６３は、制御部５０からの指示に基づいて、４つのＬＥＤヘッド２９における露光動作を制御するものである。
【００５４】
定着制御部６４は、制御部５０からの指示に基づいて、定着部１６における定着動作を制御するものである。
【００５５】
測定制御部６５は、制御部５０からの指示に基づいて、測定部１２における、記録媒体９の媒体厚Ｄおよび電気抵抗値Ｒを測定する動作を制御するものである。
【００５６】
次に、測定制御部６５が制御する測定部１２について、詳細に説明する。
【００５７】
（測定部１２）
図６は、測定部１２の一構成例を表すものである。測定部１２は、上側媒体押さえ１０１と、下側媒体押さえ１０２と、スプリング１０３と、レバー１０４と、ジョイント１０５と、カム１０６と、変位センサ１０７とを有している。
【００５８】
上側媒体押え１０１および下側媒体押え１０２は、搬送路１０を挟んで対向配置され、搬送路１０上の記録媒体９を挟むものである。上側媒体押さえ１０１は、搬送路１０の上側に配置され、上下方向に移動可能に構成される。上側媒体押さえ１０１は、レバー１０４のアーム部１０４Ａ（後述）に接続される。下側媒体押え１０２は、搬送路１０の下側に固定して配置される。この構成により、画像形成装置１は、記録媒体９を搬送路１０に沿って搬送する場合には、上側媒体押さえ１０１を持ち上げることにより、上側媒体押さえ１０１と下側媒体押さえ１０２を離間させる。また、画像形成装置１は、記録媒体９の媒体厚Ｄおよび電気抵抗値Ｒを測定する場合には、上側媒体押さえ１０１を下すことにより、上側媒体押さえ１０１が、記録媒体９を押さえつけるようになっている。
【００５９】
スプリング１０３は、レバー１０４のアーム部１０４Ａ（後述）に接続され、アーム部１０４Ａを介して、上側媒体押さえ１０１を下方向に付勢するものである。これにより、上側媒体押さえ１０１は、記録媒体９の媒体厚Ｄおよび電気抵抗値Ｒを測定する場合には、記録媒体９を押さえつけるとともに、記録媒体９に所定の荷重をかけるようになっている。この荷重は、カム１０６の配置に応じて適切に調節されている。
【００６０】
レバー１０４は、ジョイント１０５を支点として、この支点を中心に回動可能に構成されたものである。レバー１０４は、ジョイント１０５を挟んで互いに反対側に配置されたアーム部１０４Ａ，１０４Ｂを有している。アーム部１０４Ａは、上側媒体押さえ１０１に接続されるとともに、スプリング１０３に接続されている。アーム部１０４Ｂは、カム１０６からの力を受けるように構成されている。また、アーム部１０４Ｂの先端部の移動量（変位量）は、変位センサ１０７により検出されるようになっている。この構成により、測定部１２では、レバー１０４が、記録媒体９の媒体厚Ｄを増幅し、変位センサ１０７が、この増幅された媒体厚Ｄを検出するようになっている。
【００６１】
ジョイント１０５は、レバー１０４を回動可能に支持するものである。
【００６２】
カム１０６は、測定制御部６５からの指示に基づいて、軸１０６Ａを中心に回動可能に構成されたものである。カム１０６は、突起１０６Ｂを有している。突起１０６Ｂは、カム１０６が回動することにより、レバー１０４のアーム部１０４Ｂの中央付近に接触するように構成されている。
【００６３】
変位センサ１０７は、測定制御部６５からの指示に基づいて、レバー１０４のアーム部１０４Ｂの先端の移動量（変位量）を検出するものである。変位センサ１０７は、例えば、反射型のフォトセンサを用いて構成され、変位センサ１０７とアーム部１０４Ｂの先端との距離を測定することにより、レバー１０４のアーム部１０４Ｂの先端の変位量を検出する。画像形成装置１は、この変位センサ１０７の測定結果に基づいて、記録媒体９の媒体厚Ｄを求めるようになっている。
【００６４】
この構成により、画像形成装置１は、記録媒体９を搬送路１０に沿って搬送する場合には、カム１０６を回動させることにより、カム１０６の突起１０６Ｂをレバー１０４のアーム部１０４Ｂの中央付近に接触させる。これにより、レバー１０４がジョイント１０５を支点として回動し、上側媒体押さえ１０１が持ち上がり、上側媒体押さえ１０１および下側媒体押さえ１０２が互いに離間する。その結果、画像形成装置１では、記録媒体９が、上側媒体押さえ１０１および下側媒体押さえ１０２の間の搬送路１０を通過する。
【００６５】
また、画像形成装置１は、記録媒体９の媒体厚Ｄおよび電気抵抗値Ｒを測定する場合には、まず、例えば媒体センサ１３の検出結果に基づいて、例えば記録媒体９の先頭がレジストローラ１４を到達したときに、記録媒体９の搬送を一旦停止する。そして、画像形成装置１は、カム１０６を回動させることにより、カム１０６の突起１０６Ｂがアーム部１０４Ｂに接触しないようにする。これにより、上側媒体押さえ１０１が、スプリング１０３の付勢力に従い、記録媒体９を押さえつける。そして、変位センサ１０７は、アーム部１０４Ｂの先端の変位量を検出する。これにより、画像形成装置１は、記録媒体９の媒体厚Ｄを求める。また、画像形成装置１は、以下に説明するように、上側媒体押さえ１０１と下側媒体押さえ１０２との間に流れる電流を測定することにより、記録媒体９の電気抵抗値Ｒを検出する。
【００６６】
図７は、測定部１２の回路構成の一例を表すものである。なお、この図７は、測定制御部６５をも描いている。測定部１２は、直流電源１１１と、可変抵抗素子１１２とを有している。
【００６７】
直流電源１１１は、直流電圧（電圧Ｖｄｃ）を生成するものである。直流電源１１１の正端子は、下側媒体押さえ１０２および測定制御部６５に接続され、他端は接地されている。
【００６８】
可変抵抗素子１１２は、測定制御部６５からの指示に基づいて、両端間の抵抗値Ｒｖを変更可能に構成されたものである。可変抵抗素子１１２の一端は、上側媒体押さえ１０１および測定制御部６５に接続され、他端は接地されている。可変抵抗素子１１２の抵抗値Ｒｖは、記録媒体９の種類（媒体種）に応じて設定される。具体的には、例えば、媒体種が“フィルム”である場合には、可変抵抗素子１１２の抵抗値Ｒｖは、２．５×１０12［Ω］に設定される。また、例えば、媒体種が“普通紙”である場合には、可変抵抗素子１１２の抵抗値Ｒｖは、２．５×１０8［Ω］に設定される。
【００６９】
この構成により、測定部１２では、記録媒体９の電気抵抗値Ｒを測定する場合に、直流電源１１１から、下側媒体押さえ１０２、記録媒体９、上側媒体押さえ１０１、可変抵抗素子１１２の順に、電流Ｉｄｃが流れる。画像形成装置１は、このときの下側媒体押さえ１０２における電圧Ｖｄｃ、上側媒体押さえ１０１における電圧Ｖｒｖ、および可変抵抗素子１１２の抵抗値Ｒｖに基づいて、記録媒体９の電気抵抗値Ｒを求める。そして、画像形成装置１は、測定した媒体厚Ｄおよび電気抵抗値Ｒに基づいて、記録媒体９の体積抵抗率ρを求める。
【００７０】
具体的には、画像形成装置１は、まず、例えば印刷データＤＰに含まれる、記録媒体９の種類（媒体種）についての情報に基づいて、可変抵抗素子１１２における抵抗値Ｒｖを設定する。そして、画像形成装置１は、以下の式ＥＱ１を用いて、上側媒体押さえ１０１における電圧Ｖｒｖおよび可変抵抗素子１１２の抵抗値Ｒｖに基づいて、電流Ｉｄｃを求める。
Ｉｄｃ＝Ｖｒｖ／Ｒｖ  ・・・（ＥＱ１）
また、画像形成装置１は、以下の式ＥＱ２を用いて、下側媒体押さえ１０２における電圧Ｖｄｃ、上側媒体押さえ１０１における電圧Ｖｒｖ、および式ＥＱ１により求めた電流Ｉｄｃに基づいて、記録媒体９の電気抵抗値Ｒを求める。
Ｒ＝（Ｖｄｃ−Ｖｒｖ）／Ｉｄｃ  ・・・（ＥＱ２）
そして、画像形成装置１は、以下の式ＥＱ３を用いて、記録媒体９の媒体厚Ｄ、および式ＥＱ２により求めた記録媒体９の電気抵抗値Ｒに基づいて、記録媒体９の体積抵抗率ρを求める。
ρ＝Ｒ×Ｓ／Ｄ  ・・・（ＥＱ３）
ここで、Ｓは、上側媒体押さえ１０１および下側媒体押さえ１０２が記録媒体９を挟むときの、上側媒体押さえ１０１および下側媒体押さえ１０２が重なる部分の面積Ｓである。この面積Ｓは、例えば、０．０００４［ｍ2］である。
【００７１】
例えば、記録媒体９の種類（媒体種）が“フィルム”である場合には、上述したように、可変抵抗素子１１２の抵抗値Ｒｖは、２．５×１０12［Ω］である。この場合において、媒体厚Ｄが０．０００１［ｍ］であり、電圧Ｖｄｃが５［Ｖ］であり、電圧Ｖｒｖが１［Ｖ］である場合には、体積抵抗率ρは、４×１０13［Ω・ｍ］（＝４×１０15［Ω・ｃｍ］）である。
【００７２】
画像形成装置１は、このようにして、記録媒体９の媒体厚Ｄおよび電気抵抗値Ｒを測定し、測定した媒体厚Ｄおよび電気抵抗値Ｒに基づいて、記録媒体９の体積抵抗率ρを求める。そして、画像形成装置１は、この体積抵抗率ρに基づいて、転写電圧ＶＴＲ、帯電電圧ＶＣＨ、現像電圧ＶＤＢ、および露光時間Ｔを決定するようになっている。
【００７３】
ここで、現像ユニット２０は、本発明における「第１の現像部」および「第２の現像部」の一具体例に対応する。感光ドラム２１は、本発明における「第１の像担持体」および「第２の像担持体」の一具体例に対応する。帯電ローラ２４は、本発明における「第１の帯電部材」および「第２の帯電部材」の一具体例に対応する。現像ローラ２５は、本発明における「第１の現像部材」および「第２の現像部材」の一具体例に対応する。ＬＥＤヘッド２９は、本発明における「第１の露光部材」および「第２の露光部材」の一具体例に対応する。転写ローラ３２は、本発明における「第１の転写部材」および「第２の転写部材」の一具体例に対応する。高圧制御部６２は、本発明における「電圧供給部」の一具体例に対応する。制御部５０は、本発明における「設定部」の一具体例に対応する。
【００７４】
［動作および作用］
続いて、本実施の形態の画像形成装置１の動作および作用について説明する。
【００７５】
（全体動作概要）
まず、図１，３を参照して、画像形成装置１の全体動作概要を説明する。通信部５１がホストコンピュータＰＣから印刷データＤＰを受け取ると、制御部５０は、画像形成装置１における画像形成動作を制御する。画像形成制御部６０のモータ制御部６１は、制御部５０からの指示に基づいて、画像形成装置１における各種モータの動作を制御する。測定制御部６５は、制御部５０からの指示に基づいて、測定部１２における、記録媒体９の媒体厚Ｄおよび電気抵抗値Ｒを測定する動作を制御する。画像形成装置１は、測定した媒体厚Ｄおよび電気抵抗値Ｒに基づいて、記録媒体９の体積抵抗率ρを求め、この体積抵抗率ρに基づいて、帯電電圧ＶＣＨ、現像電圧ＶＤＢ、転写電圧ＶＴＲ、および露光時間Ｔを決定する。高圧制御部６２は、制御部５０からの指示に基づいて、帯電電圧ＶＣＨ、供給電圧ＶＳＢ、現像電圧ＶＤＢ、および転写電圧ＶＴＲを生成する。露光制御部６３は、制御部５０からの指示に基づいて、４つのＬＥＤヘッド２９による露光動作を制御する。定着制御部６４は、制御部５０からの指示に基づいて、定着部１６における定着動作を制御する。
【００７６】
４つの現像ユニット２０のそれぞれでは、感光ドラム２１の表面に静電潜像が形成され、その静電潜像に応じたトナー像が形成（現像）される。４つの転写ローラ３２は、対応する感光ドラム２１に形成されたトナー像を、記録媒体９の被転写面上に転写する。定着部１６は、トナー像を記録媒体９上に定着させる。
【００７７】
（詳細動作）
画像形成装置１では、測定した媒体厚Ｄおよび電気抵抗値Ｒに基づいて、記録媒体９の体積抵抗率ρを求め、この体積抵抗率ρに基づいて、帯電電圧ＶＣＨ、現像電圧ＶＤＢ、転写電圧ＶＴＲ、および露光時間Ｔを決定する。これにより、画像形成装置１では、例えば、“フィルム”などの体積抵抗率ρが高い記録媒体９に対して画像を形成する場合において、画質を高めることができる。画像形成装置１の動作を説明する前に、体積抵抗率ρが高い記録媒体９に対して画像を形成する動作について説明する。
【００７８】
図８は、記録媒体９が現像ユニット２０の感光ドラム２１と転写ローラ３２との間を通過するときの画像形成装置１の状態を模式的に表すものである。図９は、記録媒体９が現像ユニット２０の感光ドラム２１と転写ローラ３２との間を通過するときの、記録媒体９の向きを表すものである。転写ローラ３２には、転写電圧ＶＴＲ（例えば正の電圧）が印加されている。また、感光ドラム２１は、帯電ローラ２４によりマイナスに帯電した後に、ＬＥＤヘッド２９により露光される。これにより、感光ドラム２１には、静電潜像が形成され、その静電潜像に応じたトナー像が形成される。
【００７９】
図８に示したように、一般に、記録媒体９の媒体幅Ｗは、転写ローラ３２の幅よりも狭い。よって、転写ローラ３２のローラ幅に対応する部分Ａ０のうち、媒体幅Ｗに対応する部分Ａ２では、転写ローラ３２と感光ドラム２１の間に、転写ベルト３１および記録媒体９が挟まり、部分Ａ２の外側である部分Ａ１，Ａ３では、転写ベルト３１が挟まる。すなわち、部分Ａ１，Ａ３では、転写ローラ３２と感光ドラム２１の間に、記録媒体９が挟まっていない。記録媒体９は、部分Ａ２において、転写ローラ３２と感光ドラム２１との間の電気抵抗として働く。よって、例えば、記録媒体９が“フィルム”などの体積抵抗率ρが高い媒体である場合には、感光ドラム２１から記録媒体９に、トナー像を転写しにくくなるため、記録媒体９に、かすれたような画像が形成されるおそれがある。
【００８０】
そこで、このように記録媒体９の体積抵抗率ρが高い場合に、例えば転写電圧ＶＴＲの電圧値を高くすることにより、部分Ａ２において、感光ドラム２１から記録媒体９に、トナー像を転写しやすくすることができる。しかしながら、この場合には、部分Ａ１，Ａ３において、転写ローラ３２と感光ドラム２１の間に記録媒体９が挟まっていないので、転写ローラ３２の正の電圧が感光ドラム２１に影響を与え、感光ドラム２１の表面がプラスに帯電するおそれがある。このように、感光ドラム２１の表面がプラスに帯電した場合には、感光ドラム２１は、帯電ローラ２４により帯電しても、十分にマイナスに帯電しないおそれがある。この場合には、感光ドラム２１の部分Ａ１，Ａ３に対応する部分にトナー（図８におけるトナーＴＮ）が付着するおそれがある。
【００８１】
例えば、図９に示したように記録媒体９が斜行している場合には、図８に示したように、記録媒体９の媒体幅Ｗに対応する部分Ａ２が部分Ａ１側（方向Ｆ１）に移動する。これにより、感光ドラム２１の部分Ａ１に付着したトナー（部分Ｗ１）が、記録媒体９に転写され、その結果、図９に斜線で示したように、記録媒体９の端部に汚れ（端部汚れ）が生じるおそれがある。
【００８２】
特に、画像形成装置１では、４つの現像ユニット２０Ｋ，２０Ｙ，２０Ｍ，２０Ｃが並設されているので、以下に説明するように、記録媒体９の体積抵抗率ρが高い場合には、記録媒体９に電荷が蓄積されてしまう。よって、下流の現像ユニット２０では、上流の現像ユニット２０に比べて、かすれや、端部汚れが顕著になるおそれがある。
【００８３】
図１０は、画像形成装置１における転写動作を表すものである。記録媒体９の体積抵抗率ρが低い場合には、ある現像ユニット２０およびその現像ユニット２０に対応する転写ローラ３２（例えば現像ユニット２０Ｍおよび転写ローラ３２Ｍ）により記録媒体９が帯電しても、記録媒体９が一つ下流の現像ユニット２０（例えば現像ユニット２０Ｃ）に搬送されるまでの間に電荷が逃げ、電荷蓄積量は“０”に近づく。一方、記録媒体９の体積抵抗率ρが高い場合には、電荷が逃げにくいため、記録媒体９に電荷（図１０における電荷Ｑ）が蓄積される。この図１０の例では、下流の現像ユニット２０（例えば現像ユニット２０Ｃ）では、記録媒体９に蓄積された電荷の量が多いため、感光ドラム２１から記録媒体９に、トナー像を転写しにくくなり、かすれが生じている。このように、記録媒体９に電荷が蓄積されることにより、下流の現像ユニット２０では、上流の現像ユニット２０に比べて、かすれや、端部汚れが顕著になるおそれがある。
【００８４】
そこで、画像形成装置１は、まず、記録媒体９の体積抵抗率ρに基づいて、記録媒体９における電荷蓄積量に対応する電荷蓄積量パラメータＱ（ｘ）（電荷蓄積量パラメータＱ（１），Ｑ（２），Ｑ（３），Ｑ（４））を求める。ここで、電荷蓄積量パラメータＱ（ｘ）は、以下の式ＥＱ４により求める。
Ｑ（ｘ）＝ｌｏｇ（ρ／１０13）×（ｘ−１）  ・・・（ＥＱ４）
ここで、ｘは、現像ユニット２０の位置を示すパラメータであり、ｘ＝１は最上流を示し、ｘ＝２は上流から２番目を示し、ｘ＝３は上流から３番目を示し、ｘ＝４は最下流を示す。すなわち、Ｑ（１）は、現像ユニット２０Ｋを通過した後の記録媒体９における電荷蓄積量に対応し、Ｑ（２）は、現像ユニット２０Ｙを通過した後の記録媒体９における電荷蓄積量に対応し、Ｑ（３）は、現像ユニット２０Ｍを通過した後の記録媒体９における電荷蓄積量に対応し、Ｑ（４）は、現像ユニット２０Ｃを通過した後の記録媒体９における電荷蓄積量に対応する。そして、画像形成装置１は、電荷蓄積量パラメータＱ（ｘ）（電荷蓄積量パラメータＱ（１），Ｑ（２），Ｑ（３），Ｑ（４））に基づいて、帯電電圧ＶＣＨ、現像電圧ＶＤＢ、転写電圧ＶＴＲ、および露光時間Ｔを決定する。これにより、画像形成装置１では、体積抵抗率ρに応じて、適切に、帯電電圧ＶＣＨ、現像電圧ＶＤＢ、転写電圧ＶＴＲ、および露光時間Ｔを決定することができるため、かすれや、端部汚れを抑え、その結果、画質を高めることができる。
【００８５】
次に、画像形成装置１の動作について、詳細に説明する。
【００８６】
図１１は、印刷データＤＰを受信した後の画像形成装置１の一動作例を表すものである。画像形成装置１は、記録媒体９の搬送を開始した後に、媒体センサ１３の検出結果に基づいて、記録媒体９の搬送を一旦停止し、記録媒体９の媒体厚Ｄおよび電気抵抗値Ｒを測定し、その後に、記録媒体９の搬送を再開する。そして、画像形成装置１は、測定した媒体厚Ｄおよび電気抵抗値Ｒに基づいて、記録媒体９の体積抵抗率ρを求め、この体積抵抗率ρに基づいて、帯電電圧ＶＣＨ、現像電圧ＶＤＢ、転写電圧ＶＴＲ、および露光時間Ｔを決定する。そして、画像形成装置１は、決定した帯電電圧ＶＣＨ、現像電圧ＶＤＢ、転写電圧ＶＴＲ、および露光時間Ｔを用いて、画像形成動作を行う。以下に、この動作について、詳細に説明する。
【００８７】
まず、制御部５０の通信部５１が印刷データＤＰを受け取ると、画像形成制御部６０のモータ制御部６１は、制御部５０からの指示に基づいて、記録媒体９の搬送を開始する（ステップＳ１０１）。
【００８８】
次に、ＣＰＵ５３は、媒体センサ１３の検出結果に基づいて、記録媒体９の先頭がレジストローラ１４を到達したかどうかを確認する（ステップＳ１０２）。記録媒体９の先頭がレジストローラ１４を到達していない場合（ステップＳ１０２において“Ｎ”）には、ステップＳ１０２に戻り、記録媒体９の先頭がレジストローラ１４を到達するまで、このステップＳ１０２を繰り返す。
【００８９】
ステップＳ１０２において、記録媒体９の先頭がレジストローラ１４を到達した場合（ステップＳ１０２において“Ｙ”）には、画像形成装置１は、記録媒体９の媒体厚Ｄおよび電気抵抗値Ｒを測定する（ステップＳ１０３）。具体的には、まず、モータ制御部６１が、制御部５０からの指示に基づいて、記録媒体９の搬送を一旦停止する。そして、測定制御部６５が、制御部５０からの指示に基づいて、測定部１２が、記録媒体９の媒体厚Ｄおよび電気抵抗値Ｒを測定するように、測定部１２の動作を制御する。
【００９０】
具体的には、測定制御部６５は、カム１０６を回動させることにより、カム１０６の突起１０６Ｂがアーム部１０４Ｂに接触しないようにする。これにより、上側媒体押さえ１０１が、スプリング１０３の付勢力に従い、記録媒体９を押さえつける。そして、変位センサ１０７は、アーム部１０４Ｂの先端の変位量を検出する。そして、ＣＰＵ５３は、この変位量に基づいて、媒体厚Ｄを求める。
【００９１】
また、測定制御部６５は、例えば印刷データＤＰに含まれる、記録媒体９の種類（媒体種）についての情報に基づいて、可変抵抗素子１１２における抵抗値Ｒｖを設定する。そして、測定制御部６５は、上側媒体押さえ１０１における電圧Ｖｒｖ、および下側媒体押さえ１０２における電圧Ｖｄｃを測定する。ＣＰＵ５３は、抵抗値Ｒｖ、電圧Ｖｒｖ、および電圧Ｖｄｃに基づいて、式ＥＱ１，ＥＱ２を用いて、記録媒体９の電気抵抗値Ｒを求める。
【００９２】
そして、モータ制御部６１は、制御部５０からの指示に基づいて、記録媒体９の搬送を再開する。
【００９３】
次に、ＣＰＵ５３は、測定した記録媒体９の媒体厚Ｄおよび電気抵抗値Ｒに基づいて、式ＥＱ３を用いて、記録媒体９の体積抵抗率ρを算出する（ステップＳ１０４）。そして、ＣＰＵ５３は、算出した体積抵抗率ρを、抵抗値情報５６Ｂとして、ＲＯＭ５６に格納する。
【００９４】
次に、ＣＰＵ５３は、ステップＳ１０４において算出した体積抵抗率ρに基づいて、式ＥＱ４を用いて、電荷蓄積量パラメータＱ（ｘ）（電荷蓄積量パラメータＱ（１），Ｑ（２），Ｑ（３），Ｑ（４））を求める（ステップＳ１０５）。そして、ＣＰＵ５３は、算出した電荷蓄積量パラメータＱ（ｘ）を、電荷蓄積量情報５６Ｃとして、ＲＯＭ５６に格納する。
【００９５】
次に、ＣＰＵ５３は、補正値生成処理を行う（ステップＳ１０６）。
【００９６】
図１２は、補正値生成処理の一具体例を表すものである。
【００９７】
まず、ＣＰＵ５３は、パラメータｘを“１”（ｘ＝１）に設定する（ステップＳ１２１）。
【００９８】
次に、ＣＰＵ５３は、ＲＯＭ５６に格納された電荷蓄積量情報５６Ｃから、電荷蓄積量パラメータＱ（ｘ）を読み出す（ステップＳ１２２）。具体的には、ＣＰＵ５３は、パラメータｘが“１”（ｘ＝１）である場合には、電荷蓄積量パラメータＱ（１）を読み出す。パラメータｘが２〜４である場合についても同様である。
【００９９】
次に、ＣＰＵ５３は、ステップＳ１２２において読み出した電荷蓄積量パラメータＱ（ｘ）が“０”より大きい（Ｑ（ｘ）＞０）かどうかを確認する（ステップＳ１２３）。電荷蓄積量パラメータＱ（ｘ）が０よりも大きくない場合（ステップＳ１２３において“Ｎ”）には、ステップＳ１３０に進む。
【０１００】
ステップＳ１２３において、電荷蓄積量パラメータＱ（ｘ）が０よりも大きい場合（ステップＳ１２３において“Ｙ”）には、ＣＰＵ５３は、ステップＳ１２２において読み出した電荷蓄積量パラメータＱ（ｘ）が“６”より大きい（Ｑ（ｘ）＞６）かどうかを確認する（ステップＳ１２４）。
【０１０１】
ステップＳ１２４において、電荷蓄積量パラメータＱ（ｘ）が“６”より大きくない場合（ステップＳ１２４において“Ｎ”）には、ＣＰＵ５３は、パラメータｘに対応する転写ローラ３２に係る転写電圧ＶＴＲの絶対値を高くするように、転写電圧ＶＴＲの補正値を設定する（ステップＳ１２５）。具体的には、パラメータｘが“１”（ｘ＝１）である場合には、転写ローラ３２Ｋに係る転写電圧ＶＴＲの絶対値を高くするように、転写電圧ＶＴＲの補正値を設定する。パラメータｘが２〜４である場合についても同様である。そして、ステップＳ１３０に進む。
【０１０２】
ステップＳ１２４において、電荷蓄積量パラメータＱ（ｘ）が“６”より大きい場合（ステップＳ１２４において“Ｙ”）には、ＣＰＵ５３は、パラメータｘに対応する転写ローラ３２に係る転写電圧ＶＴＲの絶対値を高くするように、転写電圧ＶＴＲの補正値を設定する（ステップＳ１２６）。具体的には、パラメータｘが“１”（ｘ＝１）である場合には、転写ローラ３２Ｋに係る転写電圧ＶＴＲの絶対値を高くするように、転写電圧ＶＴＲの補正値を設定する。パラメータｘが２〜４である場合についても同様である。
【０１０３】
次に、ＣＰＵ５３は、パラメータｘに対応する現像ユニット２０に係る帯電電圧ＶＣＨの絶対値を高くするように、帯電電圧ＶＣＨの補正値を設定する（ステップＳ１２７）。具体的には、パラメータｘが“１”（ｘ＝１）である場合には、現像ユニット２０Ｋに係る帯電電圧ＶＣＨの絶対値を高くするように、帯電電圧ＶＣＨの補正値を設定する。パラメータｘが２〜４である場合についても同様である。
【０１０４】
次に、ＣＰＵ５３は、パラメータｘに対応する現像ユニット２０に係る現像電圧ＶＤＢの絶対値を低くするように、現像電圧ＶＤＢの補正値を設定する（ステップＳ１２８）。具体的には、パラメータｘが“１”（ｘ＝１）である場合には、現像ユニット２０Ｋに係る現像電圧ＶＤＢの絶対値を低くするように、現像電圧ＶＤＢの補正値を設定する。パラメータｘが２〜４である場合についても同様である。
【０１０５】
次に、ＣＰＵ５３は、パラメータｘに対応するＬＥＤヘッド２９に係る露光時間Ｔを長くするように、露光時間Ｔの補正値を設定する（ステップＳ１２９）。具体的には、パラメータｘが“１”（ｘ＝１）である場合には、ＬＥＤヘッド２９Ｋに係る露光時間Ｔを長くするように、露光時間Ｔの補正値を設定する。パラメータｘが２〜４である場合についても同様である。
【０１０６】
このステップＳ１２６〜Ｓ１２９における各補正値は、図５に示した例に対応している。すなわち、この例では、ＣＰＵ５３は、正電圧である転写電圧ＶＴＲの絶対値を１６００［Ｖ］だけ高くすることにより、転写電圧ＶＴＲを、転写電圧ＶＴＲの基本設定値に比べて１６００［Ｖ］だけ高くし（ステップＳ１２６）、負電圧である帯電電圧ＶＣＨの絶対値を２００［Ｖ］だけ高くすることにより、帯電電圧ＶＣＨを、帯電電圧ＶＣＨの基本設定値に比べて２００［Ｖ］だけ低くし（ステップＳ１２７）、負電圧である現像電圧ＶＤＢの絶対値を５０Ｖだけ低くすることにより、現像電圧ＶＤＢを、現像電圧ＶＤＢの基本設定値に比べて５０［Ｖ］だけ高くし（ステップＳ１２８）、露光時間Ｔを、露光時間Ｔの基本設定値に比べて２［μｓｅｃ．］だけ長くしている（ステップＳ１２９）。
【０１０７】
次に、ＣＰＵ５３は、ステップＳ１２５〜Ｓ１２９において設定した補正値を、補正値情報５６Ｄとして、ＲＯＭ５６に格納する（ステップＳ１３０）。
【０１０８】
次に、ＣＰＵ５３は、パラメータｘが“４”（ｘ＝４）であるかどうかを確認する（ステップＳ１３１）。パラメータｘが“４”でない場合（ステップＳ１３１において“Ｎ”）には、ＣＰＵ５３は、パラメータｘをインクリメントし（ステップＳ１３２）、ステップＳ１２２に戻る。
【０１０９】
そして、ステップＳ１３１において、パラメータｘが“４”である場合（ステップＳ１３１において“Ｙ”）には、この補正値生成処理は終了する。
【０１１０】
次に、図１１に示したように、ＣＰＵ５３は、ＲＯＭ５６から、記録媒体９の種類（媒体種）に応じた基本設定値を読み出す（ステップＳ１０７）。具体的には、ＣＰＵ５３は、まず、例えば印刷データＤＰに含まれる、記録媒体９の種類（媒体種）についての情報に基づいて、ＲＯＭ５６から、設定値情報５６Ａに含まれる、媒体種に応じた各種基本設定値を読み出す。
【０１１１】
次に、ＣＰＵ５３は、ＲＯＭ５６から、補正値情報５６Ｄに含まれる補正値を読み出す（ステップＳ１０８）。
【０１１２】
次に、ＣＰＵ５３は、ステップＳ１０７において読み出した各種基本設定値を、ステップＳ１０８において読み出した補正値で補正することにより、各種設定値を求める（ステップＳ１０９）。
【０１１３】
次に、画像形成装置１は、ステップＳ１０９において求めた各種設定値に基づいて、記録媒体９に対して画像を形成する（ステップＳ１１０）。
【０１１４】
以上で、このフローは終了する。
【０１１５】
この例では、電気抵抗値Ｒが高く、その結果、電荷蓄積量が特に多い場合（ステップＳ１２４において“Ｙ”）に、転写電圧ＶＴＲ、帯電電圧ＶＣＨ、現像電圧ＶＤＢ、および露光時間Ｔを基本設定値から変更するように補正した。これにより、画像形成装置１では、かすれや、端部汚れを抑えることができ、画質を高めることができる。以下に、転写電圧ＶＴＲを高くした場合について、端部汚れが生じる例Ｅ１、および端部汚れを抑えることができる例Ｅ２を挙げて、画像形成装置１の作用について説明する。
【０１１６】
図１３は、端部汚れが生じる例Ｅ１における感光ドラム２１の電位の分布の一例を表すものであり、（Ａ）は帯電ローラ２４により帯電する前の感光ドラム２１の電位の分布を示し、（Ｂ）は帯電ローラ２４により帯電した後の感光ドラム２１の電位の分布を示し、（Ｃ）はＬＥＤヘッド２９により露光された後の感光ドラム２１の電位の分布を示す。また、この図１３（Ｃ）は、現像ローラ２５におけるトナーの電位分布をも示している。この例Ｅ１では、帯電電圧ＶＣＨを−９００［Ｖ］に設定し、現像電圧ＶＤＢを−２５０［Ｖ］に設定し、露光時間Ｔを３［μｓｅｃ．］に設定している。
【０１１７】
図８に示したように、部分Ａ２には、感光ドラム２１と転写ローラ３２との間に記録媒体９があり、部分Ａ１，Ａ３には、感光ドラム２１と転写ローラ３２との間に記録媒体９がない。よって、帯電ローラ２４により帯電する前には、図１３（Ａ）に示したように、部分Ａ２における感光ドラム２１の電位は例えば−５０［Ｖ］であり、部分Ａ１，Ａ３における感光ドラム２１の電位は例えば３００［Ｖ］である。すなわち、部分Ａ１，Ａ３では、感光ドラム２１と転写ローラ３２との間に記録媒体９がないため、転写ローラ３２の正の電圧が感光ドラム２１の電位に影響を与え、感光ドラム２１は、転写ローラ３２によりプラスに帯電している。
【０１１８】
感光ドラム２１が帯電ローラ２４により帯電すると、図１３（Ｂ）に示したように、部分Ａ２における感光ドラム２１の電位は例えば−５００［Ｖ］になり、部分Ａ１，Ａ３における感光ドラム２１の電位は例えば−３５０［Ｖ］になる。すなわち、部分Ａ１，Ａ３では、感光ドラム２１は、帯電ローラ２４により十分にマイナスに帯電せず、部分Ａ２における電位よりも高い電位になる。
【０１１９】
感光ドラム２１がＬＥＤヘッド２９により露光されると、図１３（Ｃ）に示したように、感光ドラム２１における露光された部分Ａ４での感光ドラム２１の電位は例えば−１００［Ｖ］になる。部分Ａ２における、露光された部分Ａ４以外での感光ドラム２１の電位は、例えば−５００［Ｖ］を維持し、部分Ａ１，Ａ３における感光ドラム２１の電位は例えば−３５０［Ｖ］を維持する。この例では、現像電圧ＶＤＢが−２５０［Ｖ］であるため、現像ローラ２５上のトナーの電位は、この−２５０［Ｖ］を中心として、例えば−３８０［Ｖ］から−１２０［Ｖ］の範囲に分布する。
【０１２０】
部分Ａ４では感光ドラム２１の電位が例えば−１００［Ｖ］であるため、現像ローラ２５上のトナーは、この部分Ａ４において、感光ドラム２１に移動し得る。また、部分Ａ２における、露光された部分Ａ４以外での感光ドラム２１の電位は、例えば−５００［Ｖ］であるため、現像ローラ２５上のトナーは、この露光された部分Ａ４以外において、感光ドラム２１に移動しない。一方、部分Ａ１，Ａ３では、感光ドラム２１の電位は例えば−３５０［Ｖ］であるため、例えば−３８０［Ｖ］から−３５０［Ｖ］程度の電位を有するトナー（部分Ｗ２）は、現像ローラ２５から感光ドラム２１に移動するおそれがある。その結果、この例Ｅ１では、記録媒体９に、端部汚れが生じてしまう。
【０１２１】
図１４は、端部汚れを抑えることができる例Ｅ２における感光ドラム２１の電位の分布の一例を表すものであり、（Ａ）は帯電ローラ２４により帯電する前の感光ドラム２１の電位の分布を示し、（Ｂ）は帯電ローラ２４により帯電した後の感光ドラム２１の電位の分布を示し、（Ｃ）はＬＥＤヘッド２９により露光された後の感光ドラム２１の電位の分布を示す。また、この図１４（Ｃ）は、現像ローラ２５におけるトナーの電位分布をも示している。この例Ｅ２では、帯電電圧ＶＣＨを−１１００［Ｖ］に設定し、現像電圧ＶＤＢを−２００［Ｖ］に設定し、露光時間Ｔを５［μｓｅｃ．］に設定している。
【０１２２】
感光ドラム２１が帯電ローラ２４により帯電すると、図１４（Ｂ）に示したように、部分Ａ２における感光ドラム２１の電位は例えば−６５０［Ｖ］になり、部分Ａ１，Ａ３における感光ドラム２１の電位は例えば−５００［Ｖ］になる。すなわち、例Ｅ２では、例Ｅ１に比べて、帯電電圧ＶＣＨの絶対値を高くしているので、感光ドラム２１の電位は、例Ｅ１の場合（図１３（Ｂ））に比べて低い電位になる。
【０１２３】
感光ドラム２１がＬＥＤヘッド２９により露光されると、図１４（Ｃ）に示したように、感光ドラム２１における露光された部分Ａ４での感光ドラム２１の電位は例えば−５０［Ｖ］になる。すなわち、例Ｅ２では、例Ｅ１に比べて、露光時間Ｔを長くしているので、感光ドラム２１の電位は、例Ｅ１の場合（図１３（Ｂ））に比べて高い電位になる。部分Ａ２における、露光された部分Ａ４以外での感光ドラム２１の電位は、例えば−６５０［Ｖ］を維持し、部分Ａ１，Ａ３における感光ドラム２１の電位は例えば−５００［Ｖ］を維持する。この例では、現像電圧ＶＤＢが−２００［Ｖ］であるため、現像ローラ２５上のトナーの電位は、この−２００［Ｖ］を中心として、例えば−３３０［Ｖ］から−７０［Ｖ］の範囲に分布する。
【０１２４】
部分Ａ４では感光ドラム２１の電位が例えば−５０［Ｖ］であるため、現像ローラ２５上のトナーは、この部分Ａ４において、感光ドラム２１に移動し得る。また、部分Ａ２における、露光された部分Ａ４以外での感光ドラム２１の電位は、例えば−６５０［Ｖ］であるため、現像ローラ２５上のトナーは、この露光された部分Ａ４以外において、感光ドラム２１に移動しない。また、部分Ａ１，Ａ３では、現像ローラ２５上のトナーは、この露光された部分Ａ１，Ａ３において、感光ドラム２１に移動しない。よって、この例Ｅ２では、記録媒体９に、端部汚れが生じるおそれを低減することができる。
【０１２５】
このように、画像形成装置１では、記録媒体９の電気抵抗値Ｒに基づいて、転写電圧ＶＴＲ、帯電電圧ＶＣＨ、現像電圧ＶＤＢ、および露光時間Ｔのうちの１つ以上を決定するようにした。具体的には、例えば、図１２に示したように、電気抵抗値Ｒに基づいて算出した電荷蓄積量パラメータＱ（ｘ）が“６”より大きくない場合（ステップＳ１２４において“Ｎ”）には、転写電圧ＶＴＲを変更するようにした。また、電気抵抗値Ｒに基づいて算出した電荷蓄積量パラメータＱ（ｘ）が“６”より大きい場合（ステップＳ１２４において“Ｙ”）には、転写電圧ＶＴＲ、帯電電圧ＶＣＨ、現像電圧ＶＤＢ、および露光時間Ｔの全てを変更するようにした。これにより、画像形成装置１では、記録媒体９の電気抵抗値Ｒに応じて、適切な画像形成条件を設定することができるので、画質を高めることができる。
【０１２６】
また、画像形成装置１では、電気抵抗値Ｒが高く、その結果、電荷蓄積量が多い場合には、転写電圧ＶＴＲ、帯電電圧ＶＣＨ、現像電圧ＶＤＢ、および露光時間Ｔの全てを変更するようにした。具体的には、転写電圧ＶＴＲの絶対値を高くし、帯電電圧ＶＣＨの絶対値を高くし、現像電圧ＶＤＢの絶対値を低くし、露光時間Ｔを長くするようにした。これにより、画像形成装置１では、かすれや端部汚れを抑えることができるので、画質を高めることができる。
【０１２７】
［効果］
以上のように本実施の形態では、記録媒体の電気抵抗値に基づいて、転写電圧、帯電電圧、現像電圧、および露光時間のうちの１つ以上を決定するようにしたので、記録媒体の電気抵抗値に応じて、適切な画像形成条件を設定することができるので、画質を高めることができる。
【０１２８】
本実施の形態では、電気抵抗値が高い場合には、転写電圧、帯電電圧、現像電圧、および露光時間の全てを変更するようにしたので、例えば、かすれや端部汚れを抑えることができるので、画質を高めることができる。
【０１２９】
［変形例１−１］
上記実施の形態では、記録媒体９の種類（媒体種）についての情報が、印刷データＤＰに含まれるものとしたが、これに限定されるものではなく、これに代えて、例えば、ユーザが表示操作部５２を操作することにより、記録媒体９の種類（媒体種）についての情報を設定してもよい。
【０１３０】
［変形例１−２］
上記実施の形態では、電気抵抗値Ｒが高く、その結果、電荷蓄積量が多い場合に、転写電圧ＶＴＲ、帯電電圧ＶＣＨ、現像電圧ＶＤＢ、および露光時間Ｔの全てを変更するようにしたが、このときの補正量は、あらかじめＲＯＭ５６に記憶された値を用いてもよいし、例えば電荷蓄積量パラメータＱ（ｘ）などに基づいて計算式により求めてもよい。
【０１３１】
［変形例１−３］
上記実施の形態では、式ＥＱ４を用いて、体積抵抗率ρに基づいて電荷蓄積量パラメータＱ（ｘ）を求め、例えばステップＳ１２３，Ｓ１２４において、電荷蓄積量パラメータＱ（ｘ）を所定のしきい値と比較したが、これに限定されるものではない。これに代えて、例えば、体積抵抗率ρを所定のしきい値と比較してもよい。
【０１３２】
［その他の変形例］
例えば、上記の実施の形態における転写電圧ＶＴＲ、帯電電圧ＶＣＨ、現像電圧ＶＤＢなどの各種電圧の電圧値、露光時間Ｔ、電荷蓄積量パラメータＱ（ｘ）のしきい値などは、一例であり、適宜変更してもよい。
【０１３３】
＜２．第２の実施の形態＞
次に、第２の実施の形態に係る画像形成装置２について説明する。本実施の形態は、電荷蓄積量パラメータＱ（ｘ）の計算式が、上記第１の実施の形態と異なるものである。なお、上記第１の実施の形態に係る画像形成装置１と実質的に同一の構成部分には同一の符号を付し、適宜説明を省略する。
【０１３４】
図２に示したように、画像形成装置２は、制御部７０を備えている。制御部７０は、ＲＯＭ７６を有している。ＲＯＭ７６は、第１の実施の形態とは異なる計算式を用いて電荷蓄積量パラメータＱ（ｘ）を算出するためのプログラムを記憶している。また、ＲＯＭ７６は、抵抗値情報７６Ｂを記憶している。抵抗値情報５６Ｂは、画像形成装置２が、媒体厚Ｄおよび電気抵抗値Ｒに基づいて算出した体積抵抗率ρについての情報に加え、媒体厚Ｄについての情報をも含むものである。
【０１３５】
次に、画像形成装置２の動作について説明する。図１１に示したように、画像形成装置２は、印刷データＤＰを受け取ると、画像形成装置１の場合と同様に、記録媒体９の搬送を開始し（ステップＳ１０１）、記録媒体９の先頭がレジストローラ１４を到達したときに（ステップＳ１０２）、記録媒体９の媒体厚Ｄおよび電気抵抗値Ｒを測定する（ステップＳ１０３）。
【０１３６】
次に、ＣＰＵ５３は、測定した記録媒体９の媒体厚Ｄおよび電気抵抗値Ｒに基づいて、式ＥＱ３を用いて、記録媒体９の体積抵抗率ρを算出する（ステップＳ２０４）。そして、ＣＰＵ５３は、算出した体積抵抗率ρを、記録媒体９の媒体厚Ｄとともに、抵抗値情報７６Ｂとして、ＲＯＭ７６に格納する。
【０１３７】
次に、ＣＰＵ５３は、ステップＳ１０３において算出した媒体厚Ｄ、およびステップＳ１０４において算出した体積抵抗率ρに基づいて、以下の式ＥＱ５を用いて、電荷蓄積量パラメータＱ（ｘ）（電荷蓄積量パラメータＱ（１），Ｑ（２），Ｑ（３），Ｑ（４））を求める（ステップＳ１０５）。
Ｑ（ｘ）＝（ｌｏｇ（ρ／１０13）＋（Ｄ−９０）／２００）×（ｘ−１）…（ＥＱ５）
この式の右辺において、媒体厚Ｄは、［μｍ］を単位とした値である。すなわち、かすれの原因となる電荷蓄積量は、媒体厚Ｄが厚いほど増加することが、実験により確認されている。特に、媒体厚Ｄが２００［μｍ］厚くなるときの電荷蓄積量の増加量は、体積抵抗率ρがひと桁高くなるときの電荷蓄積量とほぼ等しいことが、実験により確認されている。よって、この第２の実施の形態では、この実験結果を考慮して、式ＥＱ５の右辺の括弧内の第２項を追加している。なお、この式では、標準的な媒体厚Ｄである９０［μｍ］を基準にした式にしている。
【０１３８】
ＣＰＵ５３は、この式ＥＱ５を用いて、電荷蓄積量パラメータＱ（ｘ）（電荷蓄積量パラメータＱ（１），Ｑ（２），Ｑ（３），Ｑ（４））を求める。そして、ＣＰＵ５３は、算出した電荷蓄積量パラメータＱ（ｘ）を、電荷蓄積量情報５６Ｃとして、ＲＯＭ５６に格納する。
【０１３９】
これ以降の動作は、第１の実施の形態の場合と同様である。
【０１４０】
このように、画像形成装置２では、記録媒体９の電気抵抗値Ｒに加え、さらに記録媒体９の媒体厚Ｄにも基づいて、転写電圧ＶＴＲ、帯電電圧ＶＣＨ、現像電圧ＶＤＢ、および露光時間Ｔのうちの１つ以上を決定するようにした。これにより、画像形成装置２では、記録媒体９の電気抵抗値Ｒおよび媒体厚Ｄに応じて、適切な画像形成条件を設定することができるので、画質を高めることができる。
【０１４１】
以上のように本実施の形態では、記録媒体の電気抵抗値および媒体厚に基づいて、転写電圧、帯電電圧、現像電圧、および露光時間のうちの１つ以上を決定するようにしたので、画質を高めることができる。その他の効果は、上記第１の実施の形態の場合と同様である。
【０１４２】
＜３．第３の実施の形態＞
次に、第３の実施の形態に係る画像形成装置３について説明する。本実施の形態は、環境湿度、ドラムカウント、および媒体幅に基づいて、転写電圧を修正するものである。なお、上記第１の実施の形態に係る画像形成装置１と実質的に同一の構成部分には同一の符号を付し、適宜説明を省略する。
【０１４３】
図１５は、画像形成装置３の一構成例を表すものである。画像形成装置３は、湿度センサ９１と、制御部８０とを備えている。
【０１４４】
湿度センサ９１は、画像形成装置３の環境湿度Ｈを検出するものである。
【０１４５】
制御部８０は、ＲＯＭ８６を有している。ＲＯＭ８６は、転写電圧ＶＴＲの補正値を算出するためのプログラムを記憶している。また、ＲＯＭ８６は、湿度情報８６Ｅと、ドラムカウント情報８６Ｆと、媒体幅情報８６Ｇとを記憶している。
【０１４６】
湿度情報８６Ｅは、湿度センサ９１が検出した、画像形成装置３の環境湿度Ｈについての情報を含むものである。
【０１４７】
ドラムカウント情報８６Ｆは、４つの感光ドラム２１のそれぞれの累積回転数を示すドラムカウントＣＮＴについての情報を含むものである。このドラムカウント情報８６Ｆは、画像形成装置３が画像形成動作を行う度に更新されるようになっている。
【０１４８】
媒体幅情報８６Ｇは、記録媒体９の媒体幅Ｗについての情報を含むものである。この媒体幅情報８６Ｇは、例えば、印刷データＤＰに含まれる、記録媒体９のサイズについての情報に基づいて設定されるようにしてもよいし、ユーザが表示操作部５２を操作することにより設定されるようにしてもよい。
【０１４９】
図１６は、画像形成装置３の動作例を表すものである。画像形成装置３は、印刷データＤＰを受け取ると、画像形成装置１の場合と同様に、記録媒体９の搬送を開始し（ステップＳ１０１）、記録媒体９の先頭がレジストローラ１４を到達したときに（ステップＳ１０２）、記録媒体９の媒体厚Ｄおよび電気抵抗値Ｒを測定する（ステップＳ１０３）。そして、ＣＰＵ５３は、測定した記録媒体９の媒体厚Ｄおよび電気抵抗値Ｒに基づいて、記録媒体９の体積抵抗率ρを算出する（ステップＳ１０４）。そして、ＣＰＵ５３は、算出した体積抵抗率ρを、抵抗値情報５６Ｂとして、ＲＯＭ５６に格納する。
【０１５０】
次に、ＣＰＵ５３は、ステップＳ１０４において算出した体積抵抗率ρに基づいて、電荷蓄積量パラメータＱ（ｘ）（電荷蓄積量パラメータＱ（１），Ｑ（２），Ｑ（３），Ｑ（４））を求める（ステップＳ１０５）。そして、ＣＰＵ５３は、算出した電荷蓄積量パラメータＱ（ｘ）を、電荷蓄積量情報５６Ｃとして、ＲＯＭ５６に格納する。
【０１５１】
次に、ＣＰＵ５３は、補正値生成処理を行う（ステップＳ１０６）。
【０１５２】
次に、ＣＰＵ５３は、ＲＯＭ５６から、記録媒体９の種類（媒体種）に応じた基本設定値を読み出し（ステップＳ１０７）、ＲＯＭ５６から、補正値情報５６Ｄに含まれる補正値を読み出す（ステップＳ１０８）。
【０１５３】
次に、ＣＰＵ５３は、ステップＳ１０７において読み出した各種基本設定値を、ステップＳ１０８において読み出した補正値で補正することにより、各種設定値を求める（ステップＳ１０９）。
【０１５４】
次に、ＣＰＵ５３は、ステップＳ１０９において求めた各種設定値のうちの転写電圧ＶＴＲを修正する（ステップＳＳ３０９）。具体的には、まず、ＣＰＵ５３は、ＲＯＭ５６から、湿度情報８６Ｅに含まれる環境湿度Ｈについての情報を読み出し、ドラムカウント情報８６Ｆに含まれる４つの感光ドラム２１のそれぞれのドラムカウントＣＮＴについての情報を読み出し、媒体幅情報８６Ｇに含まれる媒体幅Ｗについての情報を読み出す。そして、ＣＰＵ５３は、環境湿度Ｈ、ドラムカウントＣＮＴ、および媒体幅Ｗに基づいて、以下の式ＥＱ６を用いて、転写電圧ＶＴＲを修正する。
ＶＴＲ１＝ＶＴＲ０＋Ｖ１＋Ｖ２＋Ｖ２  ・・・（ＥＱ６）
Ｖ１＝３３×（５５−Ｈ）
Ｖ２＝ＣＮＴ×（−１５００／２００００）
Ｖ３＝０（媒体幅Ｗ＝２１０［ｍｍ］のとき）
ｏｒ  １（媒体幅Ｗ＝２９７［ｍｍ］のとき）
ここで、ＶＴＲ０は修正前の転写電圧ＶＴＲであり、ＶＴＲ１は修正後の転写電圧ＶＴＲである。例えば、転写ローラ３２Ｋに供給する転写電圧ＶＴＲを修正する場合には、ＣＰＵ５３は、環境湿度Ｈ、現像ユニット２０Ｋの感光ドラム２１に係るドラムカウントＣＮＴ、および媒体幅Ｗに基づいて、式ＥＱ６を用いて、転写電圧ＶＴＲを修正する。転写ローラ３２Ｙに供給する転写電圧ＶＴＲ、転写ローラ３２Ｍに供給する転写電圧ＶＴＲ、および転写ローラ３２Ｃに供給する転写電圧ＶＴＲについても同様である。
【０１５５】
例えば、修正前の転写電圧ＶＴＲ（転写電圧ＶＴＲ０）が３５００［Ｖ］であり、環境湿度が８０［％］であり、ドラムカウントＣＮＴが１００００［counts］であり、媒体幅Ｗが２９７［ｍｍ］である場合には、修正後の転写電圧ＶＴＲ（転写電圧ＶＴＲ１）は、２３２５［Ｖ］である。
【０１５６】
次に、画像形成装置１は、ステップＳ１０９において求めた各種設定値に基づいて、記録媒体９に対して画像を形成する（ステップＳ１１０）。
【０１５７】
以上で、このフローは終了する。
【０１５８】
このように、画像形成装置３では、環境湿度Ｈ、ドラムカウントＣＮＴ、および媒体幅Ｗに基づいて、転写電圧ＶＴＲを修正するようにしたので、画質を高めることができる。
【０１５９】
すなわち、例えば、環境湿度Ｈが高い場合には、端部汚れが生じやすいことが実験により確認されている。この理由は、環境湿度Ｈが高いほど、感光ドラム２１の電気抵抗値や転写ベルト３１の電気抵抗値が低下するため、転写ローラ３２の正の電圧が感光ドラム２１に影響を与えやすくなるからであると推察される。よって、画像形成装置３では、環境湿度Ｈに応じて、転写電圧ＶＴＲを下げることにより、端部汚れが生じるおそれを低減することができる。
【０１６０】
図１７は、ある環境湿度Ｈにおける端部汚れについての実験結果を表すものである。この例では、転写電圧ＶＴＲを４０００［Ｖ］にすると端部汚れが生じるが、転写電圧ＶＴＲを３０００［Ｖ］に下げると端部汚れが生じない。このように、転写電圧ＶＴＲを下げることにより、端部汚れが生じるおそれを低減することができる。
【０１６１】
また、例えば、ドラムカウントＣＮＴが多い場合には、感光ドラム２１の表面の膜がすり減り、感光ドラム２１の電気抵抗値が低下する。これにより、転写ローラ３２の正の電圧が感光ドラム２１に影響を与えやすくなるので、端部汚れが生じやすくなる。よって、画像形成装置３では、ドラムカウントＣＮＴに応じて、転写電圧ＶＴＲを下げることにより、端部汚れが生じるおそれを低減することができる。
【０１６２】
また、例えば、記録媒体９の媒体幅Ｗが広い場合には、図８において、部分Ａ２が広くなり、一方で部分Ａ１，Ａ３が狭くなる。これにより、転写ローラ３２の正の電圧が、狭い部分Ａ１，Ａ３において集中的に感光ドラム２１に影響を与えるので、端部汚れが生じやすくなる。よって、画像形成装置３では、媒体幅Ｗに応じて転写電圧ＶＴＲを設定することにより、端部汚れが生じるおそれを低減することができる。
【０１６３】
図１８は、異なる媒体幅Ｗでの端部汚れについての実験結果を表すものである。媒体幅Ｗが２１０［ｍｍ］の場合には、転写電圧ＶＴＲを３０００［Ｖ］にすると端部汚れが生じるが、転写電圧ＶＴＲを２５００［Ｖ］にすると端部汚れが生じない。また、媒体幅Ｗが２９７［ｍｍ］の場合には、転写電圧ＶＴＲを２５００［Ｖ］にすると端部汚れが生じるが、転写電圧ＶＴＲを２０００［Ｖ］にすると端部汚れが生じない。このように、媒体幅Ｗに応じて、転写電圧ＶＴＲを設定することにより、端部汚れが生じるおそれを低減することができる。
【０１６４】
以上のように本実施の形態では、環境湿度、ドラムカウント、および媒体幅に基づいて、転写電圧を修正するようにしたので、画質を高めることができる。その他の効果は、上記第１の実施の形態の場合と同様である。
【０１６５】
［変形例３−１］
上記実施の形態では、ステップＳ３０９において、式ＥＱ６を用いて、転写電圧ＶＴＲを修正したがこれに限定されるものではない。これに代えて、例えば、環境湿度Ｈが所定のしきい値を超えたときに、あらかじめＲＯＭ５６に記憶された値を用いて転写電圧ＶＴＲを修正し、ドラムカウントＣＮＴが所定のしきい値を超えたときに、あらかじめＲＯＭ５６に記憶された値を用いて転写電圧ＶＴＲを修正し、媒体幅Ｗが所定のしきい値を超えたときに、あらかじめＲＯＭ５６に記憶された値を用いて転写電圧ＶＴＲを修正してもよい。
【０１６６】
［変形例３−２］
上記実施の形態では、環境湿度Ｈ、ドラムカウントＣＮＴ、および媒体幅Ｗに基づいて、転写電圧ＶＴＲを修正するようにしたが、これに限定されるものではなく、例えば、現像電圧ＶＤＢ、供給電圧ＶＳＢ、帯電電圧ＶＣＨ、露光時間Ｔなど、各現像ユニット２０が画像形成を行うときの様々なパラメータを修正してもよい。
【０１６７】
［変形例３−３］
上記実施の形態では、ドラムカウントＣＮＴを用いたが、これに限定されるものではなく、感光ドラム２１の動作量を示すもの（経時パラメータ）であれば、どのようなものであってもよい。具体的には、例えば、感光ドラム２１がＬＥＤヘッド２９により露光された、累積ドット数を示すドットカウントであってもよい。
【０１６８】
以上、いくつかの実施の形態および変形例を挙げて本技術を説明したが、本技術はこれらの実施の形態等には限定されず、種々の変形が可能である。
【０１６９】
例えば、上記の実施の形態等では、本技術を単機能のプリンタに適用したが、これに限定されるものではなく、これに代えて、例えば、コピー機能、ファックス機能、スキャン機能、プリント機能などを有する、いわゆる多機能周辺装置（ＭＦＰ；Multi  Function Peripheral）に適用してもよい。
【符号の説明】
【０１７０】
１，２，３…画像形成装置、８…媒体収納部、１１…ホッピングローラ、１２…測定部、１３…媒体センサ、１４…レジストローラ、１５…レジストセンサ、１６…定着部、１７…ヒートローラ、１８…加圧ローラ、１９…排出ローラ、２０，２０Ｋ，２０Ｙ，２０Ｍ，２０Ｃ…現像ユニット、２１…感光ドラム、２２…クリーニングブレード、２４…帯電ローラ、２５…現像ローラ、２６…現像ブレード、２７…供給ローラ、２８，２８Ｋ，２８Ｙ，２８Ｍ，２８Ｃ…トナー収容部、２９，２９Ｋ，２９Ｙ，２９Ｍ，２９Ｃ…ＬＥＤヘッド、３０…転写部、３１…転写ベルト、３２，３２Ｋ，３２Ｙ，３２Ｍ，３２Ｃ…転写ローラ、３３…駆動ローラ、３４…従動ローラ、５０，７０，８０…制御部、５１…通信部、５２…表示操作部、５３…ＣＰＵ、５４…タイマ、５５…ＲＡＭ、５６，７６，８６…ＲＯＭ、５６Ａ…設定値情報、５６Ｂ，７６Ｂ…抵抗値情報、５６Ｃ…電荷蓄積量情報、５６Ｄ…補正値情報、５７…インタフェース、５８…バス、６０…画像形成制御部、６１…モータ制御部、６２…高圧制御部、６２ＣＨ…帯電電圧制御部、６２ＳＢ…供給電圧制御部、６２ＤＢ…現像電圧制御部、６２ＴＲ…転写電圧制御部、６３…露光制御部、６４…定着制御部、６５…測定制御部、８６Ｅ…湿度情報、８６Ｆ…ドラムカウント情報、８６Ｇ…媒体幅情報、９１…湿度センサ、１０１…上側媒体押さえ、１０２…下側媒体押さえ、１０３…スプリング、１０４…レバー、１０４Ａ，１０４Ｂ…アーム部、１０５…ジョイント、１０６…カム、１０６Ａ…軸、１０６Ｂ…突起、１０７…変位センサ、１１１…直流電源、１１２…可変抵抗素子、Ｄ…媒体厚、Ｑ（ｘ）…電荷蓄積量パラメータ、Ｒ…電気抵抗値、Ｔ…露光時間、ＶＣＨ…帯電電圧、ＶＤＢ…現像電圧、ＶＳＢ…供給電圧、ＶＴＲ…転写電圧、Ｗ…媒体幅、ρ…体積抵抗率。
【図１】
2019045521.tif 000003
【図２】
2019045521.tif 000004
【図３】
2019045521.tif 000005
【図４】
2019045521.tif 000006
【図５】
2019045521.tif 000007
【図６】
2019045521.tif 000008
【図７】
2019045521.tif 000009
【図８】
2019045521.tif 000010
【図９】
2019045521.tif 000011
【図１０】
2019045521.tif 000012
【図１１】
2019045521.tif 000013
【図１２】
2019045521.tif 000014
【図１３】
2019045521.tif 000015
【図１４】
2019045521.tif 000016
【図１５】
2019045521.tif 000017
【図１６】
2019045521.tif 000018
【図１７】
2019045521.tif 000019
【図１８】
2019045521.tif 000020